(57)【要約】【課題】延長頁の幅が中心頁の幅より半分程度に小さくなっている観音折り加工の折丁をセンター頁として綴じ合わせた中綴本を製本できるようにする。【解決手段】くの字状のラグ１１を夫々相対向するように複数個取り付けてなるギャザリングチェーンの上に、複数の折丁を開いた状態で順次供給して丁合を取りながら搬送しつつ、針金綴じ機により背の部分を針金で綴じ合わせてから、タッカーの突き上げブレード１７により折丁集合体をギャザリングチェーン上から搬出した後、三方断裁機により化粧断ちして製本する中綴機において、タッカーの突き上げブレード１７がある位置を含む領域をカバーするように、ギャザリングチェーンにおけるくの字状のラグ１１の下半分を外側から被う案内板１８を取り付ける。タッカーの突き上げブレード１７の突き上げ時に、センター頁３における延長頁Ｐ３  ，Ｐ４  の自由端がラグ１１の下端やナットに引っ掛からない。【選択図】        図４
2004330475.tif 000002
【特許請求の範囲】
【請求項１】
くの字状のラグを夫々相対向するように複数個取り付けてなるギャザリングチェーンの上に、複数の折丁を開いた状態で順次供給して丁合を取りながら搬送しつつ、針金綴じ機により背の部分を針金で綴じ合わせてから、タッカーの突き上げブレードにより折丁集合体をギャザリングチェーン上から搬出した後、三方断裁機により化粧断ちして製本する中綴機において、タッカーの突き上げブレードがある位置を含む領域をカバーするように、ギャザリングチェーンにおけるくの字状のラグの下半分を外側から被う案内板を取り付けたことを特徴とする中綴機。
【請求項２】
請求項１に記載の中綴機により製本される中綴本であって、左右両側の中心頁とそれらの頁の小口側にそれぞれ連続した延長頁からなる観音折り加工の折丁がセンター頁として綴じ合わせられ、延長頁の幅が中心頁の幅より半分程度に小さくなっていることを特徴とする中綴本。
【請求項３】
請求項１に記載の中綴機により製本される中綴本であって、左右両側の中心頁と一方の中心頁の小口側に連続した延長頁からなる片側折り加工の折丁がセンター頁として綴じ合わせられ、延長頁の幅が中心頁の幅より半分程度に小さくなっていることを特徴とする中綴本。
【発明の詳細な説明】
【０００１】
【発明の属する技術分野】
本発明は、代表的な製本形式の一つである中綴本の技術分野に属しており、詳しくは、特殊な折丁を含む中綴本を製本するのに使用される中綴機及びそれによって製本される中綴本に関するものである。
【０００２】
【従来の技術】
従来、雑誌やカタログなどの比較的頁数の少ない本の綴じ加工として、真中の折線で２つ折りされた複数の折丁を丁合し、丁合された複数の折丁の背部を針金により綴じ合わせる様式のいわゆる中綴本が一般的に採用されている。その中綴本の一つとして、観音折り加工した折丁をセンター頁として綴じ合わせたタイプのものが知られている（例えば、特許文献１参照。）。このタイプの中綴本は、左右両側の中心頁とその頁の小口側にそれぞれ連続した延長頁とを使用して、４頁分の連続した印刷表示領域が得られることから、パノラマ風景などの写真印刷画像の表示や、電車、大型自動車などの乗物、あるいはその他商品の写真印刷画像による広告表示が可能であり、特に広告を印刷した時の宣伝効果に優れたものである。
【０００３】
【特許文献１】
実開平３−３１９７６号公報（第６図）
【０００４】
【発明が解決しようとする課題】
従来の技術で述べたタイプの中綴本は、中心頁とその両側の延長頁とを合わせた４頁分の広い見開き状態となるセンター頁に広告を印刷すると宣伝効果が高いという利点があり、パンフレット、雑誌等に利用するのに好適なものである。ただ、このタイプの中綴本では延長頁を開いた状態でしか中の表示を見ることができない。そこで、延長頁の幅を中心頁の幅の例えば半分程度に小さくし、延長頁の開閉に伴う図柄変化の面白味を発揮できるようにしたタイプの折丁を綴じ込んだ中綴本が、製本形態のバリエーションの一つとして要望されている。
【０００５】
ところで、中綴本は中綴機と称される製本機械により製本される。この中綴機は、折丁を供給する複数のフィーダー、その各フィーダーから供給される折丁をサドル掛けに丁合を取りながら搬送するギャザリングチェーン、そのギャザリングチェーンの走行路に沿って配置された針金綴じ機とタッカー（突き上げ装置）、並びに、ギャザリングチェーンの横にある三方断裁機を連動した機械である。そして、複数の折丁を開いた状態で順次ギャザリングチェーン上に供給して丁合を取りながら搬送し、針金綴じ機により背の部分を針金で綴じ合わせてから、タッカーの突き上げブレードにより折丁をギャザリングチェーン上から搬出し、その綴じ合わされた折丁を三方断裁機により化粧断ちすることで製本するように構成されている。
【０００６】
このように、ギャザリングチェーン上で針金綴じされた折丁は、タッカーの突き上げブレードによりギャザリングチェーン上から排出されてから三方断裁機に掛けられる。そして、センター頁の折丁に観音開き状の延長頁がある場合、その延長頁の幅が中心頁の幅に近いと問題はないが、延長頁の幅が中心頁の幅より半分程度に小さいと不良が発生する。すなわち、ギャザリングチェーンはくの字状のラグを夫々相対向するように複数個取り付けて構成されているため、延長頁の幅が中心頁の幅より僅かに小さいだけだと、搬送中に延長頁の自由端がラグの斜面上に位置し、自由端は突き上げ時にラグの斜面を滑り上がるので問題はないが、延長頁の幅が中心頁の半分程度にまで小さいと、搬送中に延長頁の自由端がギャザリングチェーンのラグより下方に位置するので、自由端は突き上げ時にラグの下端やラグをチェーンに固定するナットの頭部分に引っ掛かるのである。このようなことから、従来は、観音折り加工した折丁であって、延長頁の幅が中心頁の幅より半分程度に小さくなったタイプの折丁をセンター頁に綴じ合わせたタイプの中綴本を製本機で製造することはできなかった。
【０００７】
本発明は、上記のような事情に鑑みてなされたもので、その目的とするところは、延長頁の幅が中心頁の幅より半分程度に小さくなっている観音折り加工の折丁をセンター頁として綴じ合わせた中綴本を製本することができる中綴機を提供し、併せてその中綴機により製本される中綴本を提供することにある。
【０００８】
【課題を解決するための手段】
上記目的を達成するため、本発明の中綴機は、くの字状のラグを夫々相対向するように複数個取り付けてなるギャザリングチェーンの上に、複数の折丁を開いた状態で順次供給して丁合を取りながら搬送しつつ、針金綴じ機により背の部分を針金で綴じ合わせてから、タッカーの突き上げブレードにより折丁集合体をギャザリングチェーン上から搬出した後、三方断裁機により化粧断ちして製本する中綴機において、タッカーの突き上げブレードがある位置を含む領域をカバーするように、ギャザリングチェーンにおけるくの字状のラグの下半分を外側から被う案内板を取り付けたことを特徴とする。
【０００９】
そして、本発明の中綴本は、上記の中綴機により製本される中綴本であって、左右両側の中心頁とそれらの頁の小口側にそれぞれ連続した延長頁からなる観音折り加工の折丁がセンター頁として綴じ合わせられ、延長頁の幅が中心頁の幅より半分程度に小さくなっていることを特徴とする。或いは、上記の中綴機により製本される中綴本であって、左右両側の中心頁と一方の中心頁の小口側に連続した延長頁からなる片側観音折り加工の折丁がセンター頁として綴じ合わせられ、延長頁の幅が中心頁の幅より半分程度に小さくなっていることを特徴とする。
【００１０】
【発明の実施の形態】
以下、本発明の実施の形態について図面を参照しながら説明する。
【００１１】
図１は中綴本の製造工程全体を示す説明図であり、同図において、Ａは丁合工程、Ｂは針金綴工程、Ｃは断裁工程をそれぞれ示している。
【００１２】
図中１は所定間隔毎に配置された折丁フィーダー（図示略）の下側に回動状態で配されたギャザリングチェーン、２はそのギャザリングチェーン１に所定間隔で設けられた駒、３はセンター頁の折丁（以下、センター頁ともいう）、４及び５は折丁、６は表紙の折丁、７は針金綴じ機により打たれる針金、８と９はそれぞれ三方断裁機の天地断裁刃と小口断裁刃である。なお、図面の都合上、折丁４，５は２つとしているが、雑誌等ではこれより多いのが普通である。
【００１３】
本発明では、センター頁の折丁３として、図２に示すような観音折り加工の折丁を使用する。この折丁３は、左右両側の中心頁Ｐ１  ，Ｐ２  とその頁の小口側にそれぞれ連続した延長頁Ｐ３  ，Ｐ４  とからなり、延長頁Ｐ３  ，Ｐ４  の幅が中心頁Ｐ１  ，Ｐ２  の幅より半分程度に小さくなっている。
【００１４】
丁合工程Ａにおいては、中綴本を構成する複数の折丁３〜６を１部ずつ開いた状態でギャザリングチェーン１上に供給し、ギャザリングチェーン１は順次供給される折丁（順に、３、４、５、６）を駒２によって押しながら突き揃えて、複数の折丁３〜６を順次丁合していく。続く針金綴工程Ｂにおいては、この複数の折丁を丁合して突き揃えた折丁集合体Ｓの背部を針金７で綴じ合わせた後、断裁工程Ｃにおいて、天地断裁刃８にて天地の化粧断ちを、さらに小口断裁刃９にて小口の化粧断ちを行って、中綴本Ｍの製造が完了する。
【００１５】
ここで、針金綴工程Ｂから断裁工程Ｃに折丁集合体Ｓを移すため、ギャザリングチェーン１にはタッカーと呼ばれる突き上げ装置（図示せず）が設けられており、針金綴じされた折丁集合体Ｓを突き上げブレードにより突き上げてギャザリングチェーン１上から排出する。
【００１６】
図３はギャザリングチェーンの一部を示す概略構成図、図４はタッカーの突き上げブレードをギャザリングチェーンとともに示す搬送方向と直交する面での断面図である。
【００１７】
図３では片側しか示していないが、ギャザリングチェーン１は、平行２条のチェーン１０を配設し、このチェーン１０にくの字状のラグ１１を相対向するように複数個取り付け、このラグ１１によって構成される折丁跨架用の鞍部分を複数個連設するとともに、この鞍部分の最後尾に折丁の後端を押しながら搬送する駒付きのラグ１２を取り付けてある。そして、チェーン１０を構成する連結片１０ａの外側に、この連結片１０ａの連結軸１０ｂと一体構造のボルトに対して螺合するナット１３より、ラグ１１，１２がチェーン１０の外側に取り付けられている。図中１４は、連結軸１０ｂに被嵌したコロ１０ｃが転動しながらチェーン１０をガイドする案内レールであり、１５はギャザリングチェーン１の下部を覆うとともに折丁の垂れ下がり部分をガイドするカバーである。また、図３における１６はラグ１１，１２のガイド部材であり、図４における１７はタッカーの突き上げブレードである。
【００１８】
そして、本発明の中綴機は、図４に示すように、タッカーの突き上げブレード１７がある位置を含む領域をカバーするように、ギャザリングチェーン１におけるくの字状のラグ１１の下半分を外側から被う案内板１８を取り付けている。この案内板１８の形状や取付け方は特に限定されるものではない。例えば、図５に示すように、ネジ孔のある屈曲状の棒部材１８ａを案内板１８に一体化しておき、この棒部材１８ａにより案内板１８をカバー１５に固定する。
【００１９】
このように案内板１８を取り付けてあることにより、タッカーの突き上げブレード１７によって折丁集合体Ｓを排出する時に、センター頁の折丁３における延長頁Ｐ３  ，Ｐ４  の自由端は、図４に示す如く案内板１８の外側に位置し、この位置から上昇するので、ラグ１１，１２の下端やラグをチェーンに固定するナットの頭部分に引っ掛かることがない。したがって、スムースに折丁集合体Ｓの排出が行われ、この排出時に原因する不良の発生が防止される。なお、案内板１８は、タッカーの突き上げブレード１７による排出時に延長頁Ｐ３  ，Ｐ４  の自由端が引っ掛かりさえしなければ、どのような形状でもどのようにな取付け方でも構わない。
【００２０】
図６は上記の中綴機により製本された中綴本を開いた状態で示す斜視図である。この図６に示されるように、この中綴本Ｍは、左右両側の中心頁Ｐ１  ，Ｐ２  とそれらの頁の小口側にそれぞれ連続した延長頁Ｐ３  ，Ｐ４  からなる観音折り加工の折丁３がセンター頁として綴じ合わせられ、延長頁Ｐ３  ，Ｐ４  の幅が中心頁Ｐ１  ，Ｐ２  の幅より半分程度に小さくなっている。したがって、図６の中央を開いただけの状態では、中心頁Ｐ１  ，Ｐ２  における内側寄りの約半分と延長頁Ｐ３  ，Ｐ４  の外側面とにより２頁分の絵柄領域が構成され、図７に示すさらに開いた状態では、中心頁Ｐ１  ，Ｐ２  の全面と延長頁Ｐ３  ，Ｐ４  の内側面とが繋がった広い絵柄領域が構成される。
【００２１】
以上の説明では、中心頁の両側にそれぞれ延長頁を有する観音折り加工の折丁を使用したが、図８に示すように、延長頁を片側だけとした折丁をセンター頁に使用することもできる。この折丁３は、左右両側の中心頁Ｐ１  ，Ｐ２  とその一方の頁Ｐ１  の小口側に連続した延長頁Ｐ３  とからなり、延長頁Ｐ３  の幅が中心頁Ｐ１  の幅より半分程度に小さくなっている。
【００２２】
図９は図８に示す折丁をセンター頁に使用して、上記の中綴機により製本された中綴本を開いた状態で示す斜視図である。この図９に示されるように、この中綴本Ｍは、左右両側の中心頁Ｐ１  ，Ｐ２  と一方の頁Ｐ１  の小口側に連続した延長頁Ｐ３  からなる片側折り加工の折丁３がセンター頁として綴じ合わせられ、延長頁Ｐ３  の幅が中心頁Ｐ１  の幅より半分程度に小さくなっている。したがって、図９の中央を開いただけの状態では、一方の中心頁Ｐ１  における内側寄りの約半分と延長頁Ｐ３  の外側面と、さらにもう一方の中心頁Ｐ２  とにより２頁分の絵柄領域が構成され、図１０に示すさらに開いた状態では、中心頁Ｐ１  ，Ｐ２  の全面と延長頁Ｐ３  の内側面とが繋がったやや広い絵柄領域が構成される。
【００２３】
【発明の効果】
請求項１に記載の発明である中綴機は、くの字状のラグを夫々相対向するように複数個取り付けてなるギャザリングチェーンの上に、複数の折丁を開いた状態で順次供給して丁合を取りながら搬送しつつ、針金綴じ機により背の部分を針金で綴じ合わせてから、タッカーの突き上げブレードにより折丁集合体をギャザリングチェーン上から搬出した後、三方断裁機により化粧断ちして製本する中綴機において、タッカーの突き上げブレードがある位置を含む領域をカバーするように、ギャザリングチェーンにおけるくの字状のラグの下半分を外側から被う案内板を取り付けたことを特徴としているので、タッカーの突き上げブレードによって折丁集合体を排出する時に、センター頁の折丁における延長頁の自由端は案内板の外側に位置し、この位置から上昇するので、ラグの下端やラグをチェーンに固定するナットの頭部分に引っ掛かることがないことから、スムースに折丁集合体の排出が行われ、この排出時に原因する不良の発生が防止される。
【００２４】
請求項２に記載の発明である中綴本は、請求項１に記載の中綴機により製本される中綴本であって、左右両側の中心頁とそれらの頁の小口側にそれぞれ連続した延長頁からなる観音折り加工の折丁がセンター頁として綴じ合わせられ、延長頁の幅が中心頁の幅より半分程度に小さくなっていることを特徴としているので、中央で開いただけの状態では、中心頁における内側寄りの約半分と延長頁の外側面とにより２頁分の絵柄領域が構成され、さらに開いた状態では、中心頁の全面と延長頁の内側面とが繋がった広い絵柄領域が構成されることから、両側の延長頁の開け閉めをうまく利用した今までにない新規なデザインの広告などを印刷することができる。
【００２５】
請求項３に記載の発明である中綴本は、請求項１に記載の中綴機により製本される中綴本であって、左右両側の中心頁と一方の中心頁の小口側に連続した延長頁からなる片側折り加工の折丁がセンター頁として綴じ合わせられ、延長頁の幅が中心頁の幅より半分程度に小さくなっていることを特徴としているので、中央を開いただけの状態では、一方の中心頁における内側寄りの約半分と延長頁の外側面と、さらにもう一方の中心頁とにより２頁分の絵柄領域が構成され、さらに開いた状態では、左右両側の中心頁の全面と一つの延長頁の内側面とが繋がったやや広い絵柄領域が構成されることから、片側の延長頁の開け閉めをうまく利用した今までにない新規なデザインの広告などを印刷することができる。
【図面の簡単な説明】
【図１】中綴本の製造工程全体を示す説明図である。
【図２】本発明の中綴機で使用するセンター頁の折丁を示す斜視図である。
【図３】ギャザリングチェーンの一部を示す概略構成図である。
【図４】タッカーの突き上げブレードをギャザリングチェーンとともに示す搬送方向と直交する面での断面図である。
【図５】案内板を示す正面図と上面図である。
【図６】本発明の中綴本を開いた状態で示す斜視図である。
【図７】図６の中綴本をさらに開いた状態で示す斜視図である。
【図８】本発明の中綴機で使用するセンター頁の折丁の別の例を示す斜視図である。
【図９】本発明の別形態の中綴本を開いた状態で示す斜視図である。
【図１０】図９の中綴本をさらに開いた状態で示す斜視図である。
【符号の説明】
１  ギャザリングチェーン
２  駒
３  センター頁の折丁
４，５  折丁
６  表紙の折丁
７  針金
８  天地断裁刃
９  小口断裁刃
１０  チェーン
１１  ラグ
１２  （駒付きの）ラグ
１３  ナット
１４  案内レール
１５  カバー
１６  ガイド部材
１７  突き上げブレード
１８  案内板
１８ａ  棒部材
Ｍ  中綴本
Ｐ１  ，Ｐ２    中心頁
Ｐ３  ，Ｐ４    延長頁
Ｓ  折丁集合体
【図１】
2004330475.tif 000003
【図２】
2004330475.tif 000004
【図３】
2004330475.tif 000005
【図４】
2004330475.tif 000006
【図５】
2004330475.tif 000007
【図６】
2004330475.tif 000008
【図７】
2004330475.tif 000009
【図８】
2004330475.tif 000010
【図９】
2004330475.tif 000011
【図１０】
2004330475.tif 000012